(57)【要約】【課題】手間がかからず、低コストで、掘削工事等によって搬出される土が容器に付着することを防止する土付着防止シート部材及び土付着防止構造を提供する。【解決手段】本発明にかかる土付着防止シート部材１０は、所定の容器の内側に土が付着しないように設置される土付着防止シート部材１０であって、設置される所定の容器の表面の摩擦係数よりも低い摩擦係数を有するシート１１と、シート１１の周囲の少なくとも一部に取り付けられる補強部材１２と、を備え、シート１１及び補強部材１２は、容器に取り付ける際に使用する取付部１３が形成されることを特徴とする。【選択図】図１
2018031192.tif 000002
【特許請求の範囲】
【請求項１】
所定の容器の内側に土が付着しないように設置される土付着防止シート部材であって、
設置される前記所定の容器の表面の摩擦係数よりも低い摩擦係数を有するシートと、
前記シートの周囲の少なくとも一部に取り付けられる補強部材と、
を備え、
前記シート及び前記補強部材は、前記容器に取り付ける際に使用する取付部が形成される
ことを特徴とする土付着防止シート部材。
【請求項２】
前記補強部材を覆うカバーを備える
ことを特徴とする請求項１に記載の土付着防止シート部材。
【請求項３】
前記シートは、塩化ビニールシート又はテフロンシートからなり、
前記補強部材は、折り曲げ可能な金属製の薄板からなる
ことを特徴とする請求項１又は２に記載の土付着防止シート部材。
【請求項４】
上方が開放された箱形の容器部分を有するズリ鋼車に用いる土付着防止構造であって、
前記容器部分のうち、少なくとも底面及び前記容器部分が回転した際に下方に位置する側面に請求項１乃至３のいずれか１つに記載の土付着防止シート部材を設置する
ことを特徴とする土付着防止構造。
【請求項５】
前記土付着防止シート部材を前記容器部分に取り付ける取付部材を備え、
前記取付部材は、前記シートと前記補強部材に形成された取付部で前記土付着防止シート部材を前記容器部分に取り付ける
ことを特徴とする請求項４に記載の土付着防止構造。
【発明の詳細な説明】
【技術分野】
【０００１】
本発明は、掘削工事等によって搬出される土が容器に付着することを防止する土付着防止シート部材及び土付着防止構造に関する。
【背景技術】
【０００２】
シールドトンネル等の掘削工事において、掘削土をトンネル坑外に搬出する際にズリ鋼車と呼ばれる鋼製の車両が用いられることが多い。坑外に搬出された掘削土は、クレーン等によってズリ鋼車を上下反転することで、鋼車の内部から排出される。
【０００３】
しかしながら、薬剤等を用いて掘削された高粘度の掘削土の場合、ズリ鋼車の内部に掘削土が付着したまま残ってしまう場合がある。ズリ鋼車は、次の使用のために内部を清掃しなければならないが、付着した掘削土を落とすには多大な時間がかかっていた。
【０００４】
また、掘削土が付着しないように、ズリ鋼車の内部に、事前に藁や新聞紙を敷き詰めるという対策や、高分子化合物を塗布するという対策を施すこともあったが、どちらの対策も掘削土を搬出する際に毎回行わなければならず、時間及び費用がかかっていた。さらに、事前に藁や新聞紙を敷き詰めるという対策では掘削土に異物が混入した状態で排出してしまうこととなり、その後の掘削土の処理に手間がかかっていた。
【０００５】
従来、容器に土砂が付着することを防止する装置として、導電性金属で形成された土砂貯蔵容器と、この容器の内側に所定間隔に配置された電極との間に、直流電圧を印加する技術が開示されている（特許文献１参照）。
【先行技術文献】
【特許文献】
【０００６】
【特許文献１】特開平４−１８２９０号公報
【発明の概要】
【発明が解決しようとする課題】
【０００７】
しかしながら、特許文献１に記載の技術では、容器に電極や電源からの配線を取り付けなければならず、多大な手間と費用がかかってしまう。
【０００８】
本発明は、このような事情に鑑みてなされたもので、手間がかからず、低コストで、掘削工事等によって搬出される土が容器に付着することを防止する土付着防止シート部材及び土付着防止構造を提供することを目的とする。
【課題を解決するための手段】
【０００９】
この発明は上述した課題を解決するためになされたもので、本発明にかかる土付着防止シート部材は、所定の容器の内側に土が付着しないように設置される土付着防止シート部材であって、設置される前記所定の容器の表面の摩擦係数よりも低い摩擦係数を有するシートと、前記シートの周囲の少なくとも一部に取り付けられる補強部材と、を備え、前記シート及び前記補強部材は、前記容器に取り付ける際に使用する取付部が形成されることを特徴とする。
【００１０】
また、本発明にかかる土付着防止シート部材は、前記補強部材を覆うカバーを備えることを特徴とする。
【００１１】
また、本発明にかかる土付着防止シート部材は、前記シートは、塩化ビニールシート又はテフロンシートからなり、前記補強部材は、折り曲げ可能な金属製の薄板からなることを特徴とする。
【００１２】
さらに、本発明にかかる土付着防止構造は、上方が開放された箱形の容器部分を有するズリ鋼車に用いる土付着防止構造であって、前記容器部分のうち、少なくとも底面及び前記容器部分が回転した際に下方に位置する側面に前記土付着防止シート部材を設置することを特徴とする。
【００１３】
また、本発明にかかる土付着防止構造は、前記土付着防止シート部材を前記容器部分に取り付ける取付部材を備え、前記取付部材は、前記シートと前記補強部材に形成された取付部で前記土付着防止シート部材を前記容器部分に取り付けることを特徴とする。
【発明の効果】
【００１４】
この発明にかかる土付着防止シート部材及び土付着防止構造によれば、手間がかからず、低コストで、掘削工事等によって搬出される土が容器に付着することを防止することが可能となる。
【図面の簡単な説明】
【００１５】
【図１】本発明にかかる一実施形態の土付着防止シート部材を示す。
【図２】本発明にかかる一実施形態の土付着防止シート部材の作製方法を示す。
【図３】本発明にかかる他の実施形態の土付着防止シート部材を示す。
【図４】本実施形態の土付着防止シート部材をズリ鋼車の容器部分に用いた例を示す。
【図５】本実施形態の土付着防止シート部材をホッパーの容器部分に用いた例を示す。
【発明を実施するための形態】
【００１６】
以下、図面を参照して、本発明の実施の形態について説明する。
【００１７】
図１は、本発明にかかる一実施形態の土付着防止シート部材１０を示す。図２は、本発明にかかる一実施形態の土付着防止シート部材１０の作製方法を示す。
【００１８】
本実施形態の土付着防止シート部材１０は、シート１１と、シート１１を補強する補強部材１２と、を備える。
【００１９】
シート１１の表面の摩擦係数は、設置される所定の容器の表面の摩擦係数よりも低いものが好ましい。すなわち、シート１１の表面は、容器の表面よりも滑りやすい。シート１１の材料は、例えば塩化ビニールシート又はテフロンシートが好ましい。特に、糸入りの塩化ビニールシートが好ましい。このように、シート１１の材料を選択することによって、土をさらに滑りやすくすることが可能となる。
【００２０】
土付着防止シート部材１０は、シート１１の周囲の少なくとも一部に補強部材１２を備える。本実施形態では、土付着防止シート部材１０は、シート１１の周囲全体に補強部材１２を設置している。補強部材１２を設置することで、強度を保持することが可能となる。
【００２１】
補強部材１２は、折り曲げ可能な金属製の薄板が好ましい。補強部材１２の材料は、例えば折り曲げ可能で所定の強度を有する細長く薄い鉄板が好ましい。補強部材１２を折り曲げ可能な金属製の薄板とすることで、強度を保持しつつ、容器の形状にとらわれずに設置することが可能となる。本実施形態の補強部材１２は、図２に示す状態からシート１１に巻き付けられた後、土付着防止シート部材１０の周囲に配置されるように取り付けられる。
【００２２】
土付着防止シート部材１０のシート１１と補強部材１２は、容器に設置するための取付部１３を有する。本実施形態では、容器にドリルネジ等を用いて設置するため、シート１１と補強部材１２に取付部１３としての貫通孔が形成される。取付部１３は、所定の間隔で形成することが好ましい。取付部１３を一定の間隔で形成すると、均等に荷重がかかり、さらに好ましい。
【００２３】
図３は、本発明にかかる他の実施形態の土付着防止シート部材１０を示す。
【００２４】
図３に示すように、補強部材１２は、土付着防止シート部材１０の周囲だけではなく、異なる位置に設置してもよい。本実施形態では、長方形状の土付着防止シート部材１０の長辺の中央付近に補強部材１２を設置する。例えば、土付着防止シート部材１０の形状が正方形等ではない場合、補強部材１２を周囲とは異なる位置に設置することで、土付着防止シート部材１０の強度を保持することが可能となる。
【００２５】
補強部材１２は、カバー１４に覆われてもよい。例えば、補強部材１２を周囲とは異なる位置に設置する場合、カバー１４に覆われることで、補強部材１２に土が付着することを防止することが可能となる。この場合、シート１１、補強部材１２及びカバー１４に取付部１３としての貫通孔が形成される。カバー１４は、設置される所定の容器の表面の摩擦係数よりも低いものが好ましい。
【００２６】
図４は、本実施形態の土付着防止シート部材１０をズリ鋼車２０の容器部分２１に用いた例を示す。なお、図面では、ズリ鋼車２０の車輪等を省略し、掘削土を積む容器部分２１のみ示している。
【００２７】
ズリ鋼車２０は、鋼製の車両であって、掘削土を搬出する際に使用される。そのため、掘削土を積む容器部分２１の形状は、上方が開放された蓋のない箱形であって、底面２１ａ、第１長側面２１ｂ、第２長側面２１ｃ、第１短側面２１ｄ、第２短側面２１ｅを有する。容器部分２１は、クレーン等によって上下反転されるが、その際の回転方向を矢印Ａで示す。第１長側面２１ｂは、ズリ鋼車２０が回転した際に下方に位置する面である。
【００２８】
本実施形態の土付着防止シート部材１０は、少なくとも容器部分２１の底面２１ａ及び第１長側面２１ｂに設置される。土付着防止シート部材１０は、容器部分２１にドリルネジ等の取付部材１５で取り付けられる。本実施形態では、シート１１と補強部材１２に形成された取付部１３としての貫通孔に取付部材１５としてのドリルネジを貫通させて、容器部分２１に螺合することで、土付着防止シート部材１０をズリ鋼車２０の容器部分２１に設置する。
【００２９】
なお、土付着防止シート部材１０を取り付ける際には、容器部分２１の第１長側面２１ｂの上端を乗り越えるようにシート１１を配置させ、第１長側面２１ｂの外側に取付部１３を形成し、シート１１と補強部材１２を取付部材１５によって取り付けてもよい。
【００３０】
また、複数枚の土付着防止シート部材１０を用いてもよい。例えば、図１に示したような土付着防止シート部材１０を８枚、図３に示したような土付着防止シート部材１０を４枚用いることで、図４に示した例と同様に設置することが可能となる。
【００３１】
図５は、本実施形態の土付着防止シート部材１０をホッパー３０の容器部分３１に用いた例を示す。
【００３２】
ホッパー３０の容器部分３１は、４つの面で周囲を囲む壁部３１ａと、壁部３１ａの下端からそれぞれ内側に近づくように傾斜する４つの面を有する傾斜部３１ｂと、傾斜部３１ｂの下端に開口する排出部３１ｃと、を備える。ホッパー３０の容器部分３１に入れられた土は、傾斜部３１ｂ上を滑り、排出部３１ｃから排出される。
【００３３】
本実施形態では、２種類の台形状に形成された土付着防止シート部材１０を用いている。土付着防止シート部材１０は、少なくとも容器部分３１の傾斜部３１ｂに設置される。土付着防止シート部材１０は、傾斜部３１ｂにドリルネジ等の取付部材１５で取り付けられる。本実施形態では、シート１１と補強部材１２に形成された取付部１３としての貫通孔に取付部材１５としてのドリルネジを貫通させて、傾斜部３１ｂに螺合することで、土付着防止シート部材１０をホッパー３０の容器部分３１に設置する。
【００３４】
なお、土付着防止シート部材１０を取り付ける際には、シート１１が壁部３１ａ又は排出部３１ｃの一部を覆うように配置させてもよい。この場合、壁部３１ａ又は排出部３１ｃにおいて、シート１１と補強部材１２を取付部材１５によって取り付けてもよい。
【００３５】
シート部材１の形状は、容器にあわせて形成すればよい。例えば、１枚のシート部材１を用いて、容器の内側をカバーしてもよいし、複数のシート部材１を用いて、容器の内側をカバーしてもよい。シート部材１は、容器の内側の全ての面をカバーする必要はなく、少なくとも一部をカバーすればよい。
【００３６】
以上、本実施形態の土付着防止シート部材１０は、所定の容器の内側に土が付着しないように設置される土付着防止シート部材１０であって、設置される所定の容器の表面の摩擦係数よりも低い摩擦係数を有するシート１１と、シート１１の周囲の少なくとも一部に取り付けられる補強部材１２と、を備え、シート１１及び補強部材１２は、容器に取り付ける際に使用する取付部１３が形成されるので、手間がかからず、低コストで、掘削工事等によって搬出される土が容器に付着することを防止することが可能となる。
【００３７】
また、本実施形態の土付着防止シート部材１０は、補強部材を覆うカバー１４を備えるので、補強部材１２に土が付着することを防止することが可能となる。
【００３８】
また、本実施形態の土付着防止シート部材１０では、シート１１は、塩化ビニールシート又はテフロンシートからなり、補強部材１２は、折り曲げ可能な金属製の薄板からなるので、土をさらに滑りやすくすることが可能となるとともに、強度を保持しつつ、容器の形状にとらわれずに設置することが可能となる。
【００３９】
さらに、本実施形態の土付着防止構造は、上方が開放された箱形の容器部分２１を有するズリ鋼車２０に用いる土付着防止構造であって、容器部分２１のうち、少なくとも底面２１ａ及び容器部分２１が回転した際に下方に位置する側面２１ｂに前記土付着防止シート部材１０を設置するので、土を排出する際に箱形の容器部分２１に付着することを防止することが可能となる。
【００４０】
また、本実施形態の土付着防止構造は、土付着防止シート部材１０を容器部分２１に取り付ける取付部材１５を備え、取付部材１５は、シート１１と補強部材１２に形成された取付部１３で土付着防止シート部材１０を容器部分２１に取り付けるので、取り付け強度を向上させることが可能となる。
【００４１】
なお、この発明の実施形態を図面を参照して詳述してきたが、具体的な構成はこの実施形態に限られるものではなく、この発明の要旨を逸脱しない範囲の設計等も含まれる。
【符号の説明】
【００４２】
１０…土付着防止シート部材
１１…シート
１２…補強部材
１３…取付部
１４…カバー
１５…取付部材
２０…ズリ鋼車
２１…容器部分
３０…ホッパー
３１…容器部分
【図１】
2018031192.tif 000003
【図２】
2018031192.tif 000004
【図３】
2018031192.tif 000005
【図４】
2018031192.tif 000006
【図５】
2018031192.tif 000007